(57)【要約】【課題】より装着が容易かつ、体液の漏れを十分に防止できる吸収性物品を提供することを目的とする。【解決手段】透液性の表面シート（１０ａ）と、不透液性の裏面シート（１０ｂ）と、表面シートと裏面シートとの間に腹側部（１５）から背側部（１６）にかけて介装され、体液を吸収する吸収体（１２）とを有し、腹側部と背側部は、腹側部と背側部との間に設けられる股下部（１７）両側端部よりも外側に延出される腹側延出部（１５２）と背側延出部（１６２）とを備えている使い捨ておむつ（１）に、背側延出部の両側方の側縁部（１６３）に、１対の止着部（２０）を設け、股下部の縁部において腹側延出部から背側延出部の縁部にかけて該縁部の形状に添って湾曲して弾性部材（１３ｄ）を設けた。【選択図】　　　図１
2004024304.tif 000002
【特許請求の範囲】
【請求項１】
透液性の表面シートと、不透液性の裏面シートと、前記表面シートと前記裏面シートとの間に腹側部から背側部にかけて介装され、体液を吸収する吸収体とを有し、前記腹側部と前記背側部は、前記腹側部と前記背側部との間に設けられる股下部両側端部よりも外側に延出される腹側延出部と背側延出部とを備えている吸収性物品において、
前記背側延出部の両側方には、１対の止着部が設けられるとともに、
前記股下部の縁部において前記腹側延出部から前記背側延出部の縁部にかけて該縁部の形状に添って湾曲して弾性部材が設けられていることを特徴とする吸収性物品。
【請求項２】
前記弾性部材は、前記吸収体の前記腹側延出部及び前記背側延出部側の端部よりも前記腹側延出部及び前記背側延出部の側方端部側に延出して設けられていることを特徴とする請求項１に記載の吸収性物品。
【請求項３】
前記背側部の長手方向縁部に、該背側部の中央部から左右の前記背側延出部にかけて第２の弾性部材が設けられていることを特徴とする請求項１又は２に記載の吸収性物品。
【請求項４】
前記止着部は、側方に突出したファスナ部を備え、
前記ファスナ部の基端部の幅が８０〜２００ｍｍであり、先端部の幅が５０〜１５０ｍｍであり、前記基端部から前記先端部までの長さが３０〜８０ｍｍであることを特徴とする請求項１〜３の何れかに記載の吸収性物品。
【請求項５】
前記ファスナ部は、基材と、該基材上に固着された面ファスナの雄部材とを有し、
前記腹側部の前記裏面シート上に、前記面ファスナの雄部材を係止させるための面ファスナの雌部材を備えることを特徴とする請求項１〜４の何れかに記載の吸収性物品。
【発明の詳細な説明】
【０００１】
【発明の属する技術分野】
この発明は、使い捨て紙おむつ等の吸収性物品に関する。
【０００２】
【従来の技術】
従来、吸収性物品としての使い捨ての紙おむつは、透液性の表面シートと、不透液性の裏面シートと、前記表面シートと前記裏面シートとの間に腹側部から背側部にかけて介装される吸収体とを有する。そして、特に展開式の紙おむつにおいて、背側端部の側方に延出した一対のサイドフラップにファスナを形成し、このファスナを止着するためのターゲットテープを腹側に形成し、ファスナをターゲットテープに止着させて紙おむつを着用者に装着させる構造のものがある。
このうち、特に、成人や高月齢児用の紙おむつは大きく、また、胴周り及び脚周りのサイズが個人によって大きく異なるため、各サイドフラップにファスナを２つずつ設け、脚周りと胴周りとを別々に締め付ける構造になっている紙おむつがある。
【０００３】
【発明が解決しようとする課題】
しかしながら、上記のように各サイドフラップに２つずつファスナを設ける場合、吸収性物品の装着に手間がかかるという問題があった。しかし、ファスナを一つにすると、装着の容易性が増すが、胴周りと脚周りとを十分に締め付けることが困難となって漏れやすいという問題があった。
【０００４】
本発明は、上記事情に鑑みてなされたものであって、より装着が容易、かつ体液の漏れを十分に防止できる吸収性物品を提供することを目的とする。
【０００５】
【課題を解決するための手段】
上記課題を解決するため、請求項１に記載の発明は、例えば、図１から図９に示すように、透液性の表面シート（１０ａ）と、不透液性の裏面シート（１０ｂ）と、前記表面シートと前記裏面シートとの間に腹側部（１５）から背側部（１６）にかけて介装され、体液を吸収する吸収体（１２）とを有し、前記腹側部と前記背側部は、前記腹側部と前記背側部との間に設けられる股下部（１７）両側端部よりも外側に延出される腹側延出部（１５２）と背側延出部（１６２）とを備えている吸収性物品（例えば、使い捨ておむつ１）において、
前記背側延出部の両側方（例えば、側縁部１６３等）には、１対の止着部（２０）が設けられるとともに、
前記股下部の縁部において前記腹側延出部から前記背側延出部の縁部にかけて該縁部の形状に添って湾曲して弾性部材（１３ｄ）が設けられていることを特徴とする。
【０００６】
請求項１に記載の発明によれば、吸収性物品の背側延出部の両側方に、１対のみ止着部が設けられているので、装脱着が容易であり、かつ、股下部の縁部において腹側延出部から背側延出部の縁部にかけて該縁部の形状に添って湾曲して弾性部材が設けられているので、着用者の脚周りにフィットして横漏れを防止することができることとなって、装脱着が容易、かつ漏れを防止することができる。
【０００７】
請求項２に記載の発明は、請求項１に記載の吸収性物品において、
前記弾性部材は、前記吸収体の前記腹側延出部及び前記背側延出部側の端部（１２ｄ、１２ｅ）よりも前記腹側延出部及び前記背側延出部の側方端部（例えば、側縁部１５３、側縁部１６３等）側に延出して設けられていることを特徴とする。
【０００８】
請求項２に記載の発明によれば、請求項１に記載の発明と同様の効果が得られるのは勿論のこと、特に、弾性部材は、吸収体の腹側延出部及び背側延出部側の端部よりも腹側延出部及び背側延出部の側方端部側に延出して設けられているので、体液の流出を遮断して吸収体の端部まで吸収させることが可能となって、より多量の体液を吸収できるとともに、漏れ防止効果が向上する。
【０００９】
請求項３に記載の発明は、請求項１または２に記載の吸収性物品において、
前記背側部の長手方向縁部（１６４）に、該背側部の中央部から左右の前記背側延出部にかけて第２の弾性部材（１６４ａ）が設けられていることを特徴とする。
【００１０】
請求項３に記載の発明によれば、請求項１または２に記載の発明と同様の効果が得られるのは勿論のこと、背側部の長手方向縁部に、背側部の中央部から左右の背側延出部にかけて第２の弾性部材が設けられているので、胴周り部において吸収性物品が着用者にフィットすることにより、胴周りからの漏れを防止することができる。
【００１１】
請求項４に記載の発明は、請求項１〜３の何れかに記載の吸収性物品において、
前記止着部は、側方に突出したファスナ部（２１）を備え、
前記ファスナ部の基端部（２１ａ）の幅（２１１）が８０〜２００ｍｍであり、先端部（２１ｂ）の幅（２１２）が５０〜１５０ｍｍであり、前記基端部から前記先端部までの長さ（２１３）が３０〜８０ｍｍであることを特徴とする。
【００１２】
請求項４に記載の発明によれば、請求項１〜３の何れかに記載の発明と同様の効果が得られるのは勿論のこと、止着部は、側方に突出したファスナ部を備え、ファスナ部の基端部の幅が８０〜２００ｍｍであり、先端部の幅が５０〜１５０ｍｍであり、基端部から先端部までの長さが３０〜８０ｍｍであるので、吸収性物品を装着する際に好適に止着することができる。
【００１３】
請求項５に記載の発明は、請求項１〜４の何れかに記載の吸収性物品において、
前記ファスナ部は、基材（例えば、止着部２０等）と、該基材上に固着された面ファスナの雄部材（例えば、ファスニングテープ２２）とを有し、
前記腹側部の前記裏面シート上に、前記面ファスナの雄部材を係止させるための面ファスナの雌部材（例えば、被着部３０）を備えることを特徴とする。
【００１４】
請求項５に記載の発明によれば、請求項１〜４の何れかに記載の発明と同様の効果が得られるのは勿論のこと、ファスナ部は、基材と、該基材上に固着された面ファスナの雄部材とを有し、腹側部の裏面シート上に、面ファスナの雄部材を係止させるための面ファスナの雌部材を備えているので、面ファスナの雄部材を面ファスナの雌部材に係止させることにより、容易かつ確実に止着させることが出来る上、脱着も自在に出来る。
【００１５】
【発明の実施の形態】
以下、本発明の実施の形態を、図面を参照しながら詳細に説明する。
本実施の形態では、吸収性物品として、特に、成人用の使い捨て紙おむつを一例として、以下で説明する。
図１は、本実施の形態における使い捨て紙おむつを展開した斜視図である。また、図２は、使い捨て紙おむつの装着時の状態に組立てた斜視図であり、図３は、平面展開図である。
【００１６】
図１〜図３に示すように、使い捨て紙おむつ（以下、紙おむつという。）１は、物品本体である紙おむつ本体１０と、この紙おむつ本体１０を人体に装着するための止着部２０、２０と、止着部２０を係止させるための被着部３０とを備えている。
【００１７】
紙おむつ本体１０は、人体との接触面側に設けられる透液性の不織布等からなる表面シート１０ａと、装着時に外部側に設けられる不透液性の裏面シート１０ｂと、表面シート１０ａと裏面シート１０ｂとの間に介装される吸収体１２と、表面シート１０ａ側の吸収体１２の両側部に、紙おむつ本体１０の長手方向に沿って備えられるギャザーシート１３、１３と、このギャザーシート１３、１３よりも紙おむつ本体１０の幅方向の内側の吸収体１２上に、紙おむつ本体１０の長手方向に沿うように備えられる突出部１４、１４と、により主に構成される。
ここで、内側とは、紙おむつ１０の幅方向の中央側をいい、外側とは、紙おむつ１０の幅方向の中央から離れる側をいう。
【００１８】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、装着された際に着用者の脚の周りを囲む脚開口部１８、１８となっている。
【００１９】
そして、紙おむつ本体１０の腹側部１５の端部１５１と、背側部１６の端部１６１とは、紙おむつ１が装着された際に、胴周りを形成するようになっている。特に、胴周りを形成する部分として、腹側部１５において股下部１７よりも両外側に延出した腹側延出部１５２、１５２と、背側部１６において股下部１７よりも両外側に延出した背側延出部１６２、１６２と、が形成されている。また、背側部１６の背側延出部１６２、１６２の側縁部１６３、１６３には、それぞれ外側に突出した止着部２０、２０が設けられている。
【００２０】
また、背側部１６の長手方向の縁部１６４の中央部から左右の背側延出部１６２にかけて、糸ゴム等の弾性部材１６４ａ（第２の弾性部材）が幅方向に沿って設けられ、この弾性部材１６４ａにより平面ギャザー１６５が形成され、着用者の胴周りにフィットするように伸縮自在な構造となっている。この平面ギャザー１６５は、着用者が横になった場合の漏れを防止する機能を果たす。
【００２１】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００２２】
ギャザーシート１３、１３は、表面シート１０ａ側に吸収体１２の中央部１２ａを挟む幅方向の両側部に、腹側部１５の長手方向の縁部１５４から背側部１６の長手方向の縁部１６４に亘ってそれぞれ備えられている。
このギャザーシート１３、１３の幅方向外側の部分は、図４に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっている。
ここで、ギャザーシート１３が裏面シート１０ｂ及び表面シート１０ａと固定される部分を固定部１３２といい、固定部１３２と自由部１３１との境目を基端部１３３とする。
【００２３】
ギャザーシート１３は、図４（ａ）に示すように、股下部１７における基端部１３３において幅方向外側に折り返される第１折り返し部１３ａと、基端部１３３と自由部１３１の先端の自由端部１３４との間の中間位置Ｐよりも自由端部１３４側において、幅方向内側に折り返される第２折り返し部１３ｂとが形成されている。
従って、この第１折り返し部１３ａと第２折り返し部１３ｂとで、断面略く字状及び逆く字状に立ち上がった立体ギャザーが形成される。尚、第１折り返し部１３ａは、股下部１７においては、基端部１３３にて形成されるのが望ましいが、これに限られず、第２折り返し部１３ｂは、基端部１３３と自由端部１３４の間の中間位置Ｐよりも自由端部１３４寄りであれば、何処であってもよい。
【００２４】
ギャザーシート１３の自由部１３１には、ギャザーシート１３の長手方向に沿って、複数の糸ゴム（弾性部材）１３ｃが略平行に備えられている。本実施の形態では、図４に示すように、第２折り返し部１３ｂに一本と、自由端部１３４に一本と、第２折り返し部１３ｂと自由端部１３４の間の自由端部１３４寄りに一本、計三本ずつ糸ゴム１３ｃが設けられている。そして、この糸ゴム１３ｃにより立体ギャザーは、着用者の体型に合わせて伸縮自在に変形し、着用者にフィットしやすい構造となっている。
また、第２折り返し部１３ｂに糸ゴム１３ｃが設けられることにより、第２折り返し部１３ｂと自由端部１３４との間に、平らに近い面が吸収体１２側に傾倒して形成されるので、体液がギャザーシート１３を越えて漏れ出すのを阻止する効果を高めることができる。
【００２５】
また、ギャザーシート１３の長手方向の先端部（腹側先端部１３５、背側先端部１３６）においては、自由部１３１の外側に折り返された第１折り返し部１
３ａと、内側に折り返された第２折り返し部１３ｂとが、例えば、ホットメルト等のヒートシールにより固着されている。
【００２６】
また、ギャザーシート１３の基端部１３３は、図５に示すように、吸収体１２の腹側端部１２ｂ、背側端部１２ｃ上において、幅方向外側に向かって湾曲した凹部形状となっており、ギャザーシート１３の自由部１３１の幅方向の長さは、股下部１７の幅方向の長さよりも大きくなっている。これにより、図１、図３に示すように、ギャザーシート１３と表面シート１０ａとの間にポケット部１００、１００、１００、１００が、腹側部１５、背側部１６とにそれぞれ２つずつ、計４つ形成されている。従って、例えば、紙おむつ１の着用時に、不液透過性の立体ギャザーシート１３で遮断された体液が、不液透過性の立体ギャザーシート１３の長手方向に沿って移動すると、移動した体液は、腹側部１５或いは背側部１６のポケット部１００に到達して一旦貯留された後、徐々にポケット部１００の下方の吸収体１２に吸収されることとなって、横漏れ防止の効果を更に向上させることができる。また、ポケット部１００は、腹側延出部１５２及び背側延出部１６２の面積に対して、１０〜８０％の大きさに形成されている。ここで、上記範囲に形成されている理由は、１０％より小さい場合には、ポケット部１００における体液吸収の効果が小さくなるからであり、８０％より大きい場合には、腹側延出部１５２及び背側延出部１６２の横或いは後方から漏れてしまう可能性があるからである。
【００２７】
また、固定部１３２において、ギャザーシート１３、１３と裏面シート１０ｂとの間には、脚開口部１８、１８の両縁部から腹側部１５の腹側延出部１５２、１５２、及び背側部１６の背側延出部１６２、１６２にかけて、脚開口部１８、１８の両側縁部の湾曲形状に合わせて湾曲した糸ゴム等の弾性部材１３ｄがそれぞれ設けられ、この弾性部材１３ｄにより平面ギャザー１３７、１３７が形成されている。そして、図６に示すように、弾性部材１３ｄの長手方向の長さ（１３７Ａ）は、３００〜６００ｍｍに形成され、弾性部材１３ｄの湾曲部分の最大差の長さ（１３７Ｂ）は、４０〜１５０ｍｍに形成されている。
これにより、着用者の脚周りに伸縮自在にフィットし、横漏れを防止するようになっている。
より詳細には、弾性部材１３ｄは、腹側延出部１５２において、吸収体１２の腹側延出部１５２側の端部１２ｄよりも、腹側延出部１５２の側縁部１５３側に延出して形成され、同様に背側延出部１６２において、吸収体の背側延出部１６２側の端部１２ｅよりも、背側延出部１６２の側縁部１６３側に延出して形成されている。従って、平面ギャザー１３７、１３７が腹側延出部１５２及び背側延出部１６２まで形成されることとなって、腹側延出部１５２及び背側延出部１６２において、体液が横漏れするのを防止するとともに、吸収体１２の端部１２ｄ、１２ｅまで余すことなく吸収可能となって、より多量の体液を吸収できる。
【００２８】
ここで、１３７Ａが、３００〜６００ｍｍに形成されている理由は、３００ｍｍより小さい場合には、十分に着用者の脚周りを締め付けることが出来ずに漏れやすくなり、逆に６００ｍｍよりも大きい場合には、胴周り部の近傍までギャザーが形成されてしわがよってしまうことにより、吸収体１２の一部が重なるなど、腹側部１５、背側部１６のしわが入る部分の締め付けが効かなくなることとなって逆に漏れやすくなってしまうからである。
【００２９】また、１３７Ｂが４０〜１５０ｍｍに形成されている理由は、４０ｍｍよりも小さいと、着用者の脚周りの湾曲形状に十分フィットせずに、着け心地が悪くなるとともに、脚開口部１８に着用者の脚との間に隙間が出来やすく漏れやすいからであり、逆に、１５０ｍｍよりも大きいと、着用者の脚周りの湾曲角度よりも大きく湾曲してしまい、脚開口部１８に隙間ができて漏れやすいからである。
【００３０】尚、本実施の形態では、図３、図６に示すように、弾性部材１３ｄとしての糸ゴムが、左右それぞれ３本ずつ備えられている。
【００３１】
また、図１、図３、図５に示すように、背側部１６において、不液透過性の不織布等からなるバックギャザーシート１９の幅方向の端部１９ａ、１９ｂが左右のギャザーシート１３、１３の間を掛け渡すように固着されている。そして、このバックギャザーシート１９の長手方向背側端部１９ｃが、裏面シート１０ｂに固着され、縁部１６４において、平面ギャザー１６５を形成している。また、バックギャザーシート１９の長手方向腹側端部１９ｄは、固定されておらず、表面シート１０ａ上を一部覆う様に延出しており、その先端部分に第２の弾性部材としての糸ゴムが幅方向に沿って設けられ、伸縮可能に形成されている。そして、このバックギャザーシート１９と、表面シート１０ａとの間の隙間に、後ポケット部２００が形成されることとなって、後漏れを防止する機能を果たしている。
【００３２】
突出部１４、１４は、吸収体１２上面に、ギャザーシート１３、１３よりも幅方向内側で、長手方向に沿って設けられている。この突出部１４、１４は、表面シート１０ａを長手方向に沿って二つ折りにした部分を固着させることにより表面シート１ａの一部を突出させて形成される。
この突出部１４、１４により、排出された体液の、幅方向、即ちギャザーシート１３方向へ流出する勢いが一度止められ、長手方向に流れが拡散されることとなって、体液の横漏れを防ぐ効果が期待できる。
【００３３】
突出部１４、１４の長手方向端部１４１、１４２は、突出部１４、１４が、幅方向内側に倒れるように表面シート１０ａ上に固着されている。また、左右の突出部１４、１４の幅方向の間隔は、１００〜３００ｍｍであるように形成されている。一般的にインナーパッドＰと呼ばれる吸収性物品の幅方向の長さが、１００〜３００ｍｍであるため、突出部１４、１４の幅方向の間隔も、インナーパッドＰの幅方向の長さと略同じ長さに形成されている。また、突出部１４、１４の幅方向の間隔は、広く用いられているインナーパッドＰとの関係により、より好ましくは１６０〜２００ｍｍに形成されているものとする。従って、この突出部１４、１４には、図７に示すように、紙おむつ本体１０の表面シート１０ａ上に配置され、体液を吸収するインナーパッドＰの側部を固定させることができる。ここで、インナーパッドＰとは、例えば、尿取りパッド、失禁パッド等の吸収性物品であり、体液の吸収に対して紙おむつ１を補助するためのものであると共に、紙おむつ１そのものの取換え頻度を低くすることにより使用コストを抑えるためのものでもある。尚、図７は、紙おむつ１の表面シート１ａ上にインナーパッドＰを装着したことを仮定した、図１のＡ―Ａ’断面図である。
【００３４】
また、突出部１４の基端部１４４から先端部１４５までの突出した部分は、５〜５０ｍｍの長さに形成されている。ここで、５〜５０ｍｍの長さの範囲に形成されている理由は、５ｍｍよりも小さいと、尿の横への流出の勢いを止めるのに不十分であると共に、通常のインナーパッドＰを固定することが出来ない。また、５０ｍｍよりも大きいと、装着時にもたついて人体と紙おむつ１との間の隙間ができて漏れやすくなったり、インナーパッドＰを固定した際、突出部１４、１４が、インナーパッドＰ上に過度に覆い被さってしまい、透液性のシートであっても、体液の吸性を妨げる虞があるからである。また、突出部１４の基端部１４４から先端部１４５までの突出部分の長さは、５〜５０ｍｍに形成されているが、更に、ギャザーシート１３の基端部１３３と自由端部１３４の間の長さよりも小さく形成されており、ギャザーシート１３による横漏れ防止機能を阻止しないようになっている。
【００３５】
また、この突出部１４、１４の先端部分には糸ゴム１４ａが設けられており、インナーパッドＰを上面より抑えられるようになっている。この糸ゴム１４ａの弾性率は、２５０％以下であり、弾性力は２０ｇｆ以下であるように突出部１４に備えられている。ここで、糸ゴム１４ａの弾性率は２５０％以下で、弾性力が２０ｇｆであるのは、それより大きい場合には、糸ゴム１４ａの弾性力によって吸収体１２が収縮してしまうこととなって、装着した場合に吸収体１２の一部が重なる等して体液の吸収を妨げてしまうからである。
【００３６】
尚、インナーパッドＰに面ファスナの一方の係止部材を設け、突出部１４の内面１４３のインナーパッドＰとの接触部分に数カ所、面ファスナの他方の係止部材を設け、インナーパッドＰのずれを更に防止する構成であってもよい。また、突出部１４は、表面シート１０ａの一部から形成されている構成で説明したが、突出部１４は表面シート１０ａと異なる他の部材から形成されていてもよい。具体的には、吸収体１２による体液の吸収を妨げない透液性シートを紙おむつ本体１０の長手方向に沿って表面シート１０ａ上に突出させて設けるようにしてもよい。
【００３７】
止着部２０、２０は、例えば、不織布等で形成されており、背側延出部１６２、１６２の側縁部１６３、１６３より左右側方に突出するように、備えられている。そして、止着部２０、２０の側方端部は、側方に突出したファスナ部２１、２１が形成されている。この止着部２０、２０のファスナ部２１、２１には、それぞれ面ファスナの一方の係止要素である雄部材等のファスニングテープ２２が備えられている。そして、この２つのファスニングテープ２２、２２が、腹側部１５の裏面シート１０ｂ上に備えられている被着部３０に係止するようになっている。
【００３８】
ここで、図８に示す、ファスナ部２１の、基端部２１ａの長手方向の長さ（２１１）は、８０〜２００ｍｍであり、先端部２１ｂの長手方向の長さ（２１２）は、５０〜１５０ｍｍであり、基端部２１ａと先端部２１ｂの間の長さである延出部分の長さ（２１３）は、３０〜８０ｍｍに形成されている。尚、上記数値範囲内であっても、先端部２１ｂを指先でつまみ易い程度に基端部２１ａから先端部２１ｂにかけて幅が狭くなるように、２１１の方が、２１２より大きくなるよう形成されることが好ましい。
【００３９】
ファスナ部２１の基端部２１ａの長手方向の長さ（２１１）を上記範囲とした理由は、８０ｍｍより小さいと止着力が弱くなり、装着時に外れやすくなるからであり、逆に２００ｍｍを超えると、紙おむつ本体１０の胴周りと脚周りとの固定度が高くなって、紙おむつ１の装着時に着用者の動きに対して負荷が掛かりやすく、脚周りへの跡付きが発生し易くなるからである。
また、ファスナ部２１の先端部２１ｂの長手方向の長さ（２１２）を、上記範囲とした理由は、５０ｍｍより小さいと、先端部の面積が小さくなりつまみにくくなると共に、ファスニングテープ２２の面積が小さくなり止着力が低下してしまう。一方、１５０ｍｍを越えると、止着力が強すぎて、着用者の脚周りへの締め付けがきつくなってしまい、着け心地が窮屈になるからである。また、基端部２１ａと先端部２１ｂとの間の長さである突出部分の長さ（２１３）を上記範囲とした理由は、３０ｍｍより小さいと、止着する部位が、着用者のより脇腹側となり、着用者の前面側で止着するよりも外れやすいからであり、一方、８０ｍｍを越えると、左右のファスナ部２１、２１が重なってしまうおそれが生じ、漏れやすくなってしまうからである。
【００４０】
尚、ファスニングテープ２２は、ファスナ部２１の先端部２１ｂから指先でつまみやすい程度の間隔を開けた位置に設けられるとともに、基端部２１ａからも適度な間隔を開けた位置に設けられる。ここで、ファスニングテープ２２と基端部２１ａとの間が狭すぎると、着用者への締め付けがきつくなり、逆に間が開きすぎると、外れやすくなるからである。
また、ファスナ部２１の基端部２１ａから先端部２１へかけての傾斜角度、長さが両辺同じであるので、図９に示す様に、不織布の所定の位置にファスニングテープ２２を固着させた後に、止着部２０の形状に裁断することにより、複数の止着部２０’を連続して製造することができる。
【００４１】
また、被着部３０は、面ファスナーの他方の係止要素である雌部材等からなり、腹側部１５の裏面シート１０ｂ上に固着されている。そして、被着部３０の上端部３１は、着用者の腹部の肌に触れないように腹側部１５の縁部１５４から長手方向３０ｍｍ以上離れた位置に形成されている。また、被着部３０の長手方向の長さ３２は、１００〜２５０ｍｍに形成されている。
ここで、被着部３０の長手方向の長さ３２が上記範囲である理由は、１００ｍｍよりも短いと止着部２０の止着部分が小さくなり止着力が弱まる虞があり、逆に２５０ｍｍよりも長いと股下部１７の方まで到達してしまうからである。
【００４２】
このように、本実施の形態による紙おむつ１によれば、平面ギャザー１３７、１３７により脚周りの漏れが、平面ギャザー１６５により胴周りの漏れが防止されるので、止着部２０のファスナ部２１は左右一対であっても、漏れを防止することができ、且つ、ファスナ部２１が左右一対ずつなので容易に装脱着することができる。
【００４３】
また、止着部２０は、ファスナ部２１の基端部２１ａの長手方向の長さ（２１１）が８０ｍｍから２００ｍｍであり、先端部２１ａの長手方向の長さ（２１２）が５０〜１５０ｍｍであり、突出部分の長さ（２１３）が、３０〜８０ｍｍであるので、好適に締め付けることができる。
【００４４】
尚、上記の実施の形態は、本発明を例示したに過ぎず、適宜変更可能である。例えば、止着部２０の形状は、上述の範囲内であれば同一でなくともよく、ファスナ部２１の基端部２１ａから先端部２１ｂへの傾斜角度は適宜変更可能である。例えば、胴周り側の側端部２１ｃを背側部１６の端部１６１と略平行に形成し、脚周り側の側端部２１ｄを基端部２１ａから先端部２１ｂにかけて幅が細くなるように傾斜させて形成する構造であってもよい。
また、止着部２０のファスナ部２１の形状も、上記数値範囲内であれば、図１、２、３、５、８に示すような台形状に限定されるものではなく、丸みを帯びた形状や、テーパ状等であってもよい。ここで、例えば、ファスナ部２１がテーパ状に形成されている場合、２１２は、ファスニングテープ２２の先端部２１ｂ側の側辺の長さとなり、その先端部２１ｂのテーパ角度Θは、例えば、０＜Θ＜４とする。また、止着部２０のファスナ部２１がテーパ状に形成する場合、止着部２０を製造する際、止着部２０の長さに相当する幅の基材の中央部分を、蛇行する曲線状に裁断して、止着部２０の形状を形成することができ、直線上に裁断して製造するよりも裁断を滑らかに行うことができる。
【００４５】
また、止着部２０は、不織布の他、弾性部材から形成されていてもよい。また、ファスニングテープ２２は、面ファスナの雄部材等の他、例えば、粘着テープ等であり、被着部３０は粘着テープが着脱自在なフィルム等を備えている構造であってもよい。
【００４６】
【発明の効果】
請求項１記載の発明によれば、吸収性物品の背側延出部の両側方に、１対のみ止着部が設けられているので、装脱着が容易であり、かつ、股下部の縁部において腹側延出部から背側延出部の縁部にかけて該縁部の形状に添って湾曲して弾性部材が設けられているので、着用者の脚周りにフィットして横漏れを防止することができることとなって、装脱着が容易、かつ漏れを防止することができる。
【００４７】
請求項２記載の発明によれば、請求項１記載の発明と同様の効果が得られるのは勿論のこと、特に、弾性部材は、吸収体の腹側延出部及び背側延出部側の端部よりも腹側延出部及び背側延出部の側方端部側に延出して設けられているので、体液の流出を遮断して吸収体の端部まで吸収させることが可能となって、より多量の体液を吸収できるとともに、漏れ防止効果が向上する。
【００４８】
請求項３記載の発明によれば、請求項１または２に記載の発明と同様の効果が得られるのは勿論のこと、背側部の長手方向縁部に、背側部の中央部から左右の背側延出部にかけて第２の弾性部材が設けられているので、胴周り部において吸収性物品が着用者にフィットすることにより、胴周りからの漏れを防止することができる。
【００４９】
請求項４記載の発明によれば、請求項１〜３の何れかに記載の発明と同様の効果が得られるのは勿論のこと、止着部は、側方に突出したファスナ部を備え、ファスナ部の基端部の幅が８０〜２００ｍｍであり、先端部の幅が５０〜１５０ｍｍであり、基端部から先端部までの長さが３０〜８０ｍｍであるので、吸収性物品を装着する際に好適に止着することができる。
【００５０】
請求項５記載の発明によれば、請求項１〜４の何れかに記載の発明と同様の効果が得られるのは勿論のこと、ファスナ部は、基材と、該基材上に固着された面ファスナの雄部材とを有し、腹側部の裏面シート上に、面ファスナの雄部材を係止させるための面ファスナの雌部材を備えているので、面ファスナの雄部材を面ファスナの雌部材に係止させることにより、容易かつ確実に止着させることが出来る上、脱着も自在に出来る。
【図面の簡単な説明】
【図１】本発明を適用した紙おむつ１の展開斜視図である。
【図２】図１のおむつの装着時における斜視図である。
【図３】図１のおむつの展開平面図である。
【図４】（ａ）は、図１のＡ−Ａ’断面図であり、（ｂ）は、図１のＢ−Ｂ’断面図である。
【図５】図１の背側部１６の一部を拡大した断面斜視図である。
【図６】図１の一部を拡大した図であって、平面ギャザー１３７と弾性部材１３ｄとを説明するための図である。
【図７】インナーパッドＰを装着した場合を仮定した図１のＡ−Ａ’断面図である。
【図８】図１の止着部２０の拡大図である。
【図９】止着部２０の製造方法の一例を説明するための図である。
【符号の説明】
１　使い捨て紙おむつ（吸収性物品）
１０　紙おむつ本体
１０ａ　表面シート
１０ｂ　裏面シート
１２　吸収体
１３ｄ　弾性部材
１５　腹側部
１５２　腹側延出部
１５３　側縁部
１６　背側部
１６２　背側延出部
１６３　側縁部
１６４　縁部
１６４ａ　弾性部材（第２の弾性部材）
１７　股下部
２０　止着部（基材）
２１　ファスナ部
２１ａ　基端部
２１ｂ　先端部
２１１　基端部の長手方向の長さ（基端部の幅）
２１２　先端部の長手方向の長さ（先端部の幅）
２１３　基端部から先端部までの長さ（突出部分の長さ）
２２　ファスニングテープ（面ファスナの雄部材）
３０　被着部（面ファスナの雌部材）
【図１】
2004024304.tif 000003
【図２】
2004024304.tif 000004
【図３】
2004024304.tif 000005
【図４】
2004024304.tif 000006
【図５】
2004024304.tif 000007
【図６】
2004024304.tif 000008
【図７】
2004024304.tif 000009
【図８】
2004024304.tif 000010
【図９】
2004024304.tif 000011